(57)【要約】ＰＤＰ１０と、ＰＤＰ１０に取り付けられたアルミシャーシ２と、アルミシャーシ２に取り付けられた上側データドライバ基板６及び信号処理基板７と、基板６，７同士を電気的に接続するフレキシブルケーブル８とを備える。押え板９は、基板６，７間でフレキシブルケーブル８の少なくとも一部をアルミシャーシ２との間隙が変わらないように固定する。これにより、フレキシブルケーブル８の絶縁材料を利用した浮遊コンデンサーを安定して形成することができ、高周波ノイズを効果的に低減することができる。
2004093036.tif 000002
【特許請求の範囲】
【請求項１】
表示パネルと、前記表示パネルに取り付けられた導電性シャーシと、前記導電性シャーシに取り付けられた複数の基板と、前記基板同士を電気的に接続するケーブルとを備える薄型表示装置であって、
前記基板間で前記ケーブルの少なくとも一部を固定する固定部材が設けられていることを特徴とする薄型表示装置。
【請求項２】
表示パネルと、前記表示パネルに取り付けられた導電性シャーシと、前記導電性シャーシに取り付けられた基板と、前記表示パネル及び前記基板を電気的に接続するケーブルとを備える薄型表示装置であって、
前記表示パネルと前記基板との間で前記ケーブルの少なくとも一部を固定する固定部材が設けられていることを特徴とする薄型表示装置。
【請求項３】
前記固定部材は、前記ケーブルを前記導電性シャーシとの間に挟み込む板状部材によって構成されていることを特徴とする請求項１又は２に記載の薄型表示装置。
【請求項４】
前記板状部材は、金属板によって構成されていることを特徴とする請求項３に記載の薄型表示装置。
【請求項５】
前記金属板は、導電性を有する締結部材によって前記導電性シャーシと締結されていることを特徴とする請求項４に記載の薄型表示装置。
【請求項６】
前記ケーブルは、フレキシブルケーブルによって構成されていることを特徴とする請求項１又は２に記載の薄型表示装置。
【請求項７】
前記フレキシブルケーブルは一層構造に構成されていることを特徴とする請求項６に記載の薄型表示装置。
【請求項８】
前記導電性シャーシは、アルミニウムからなることを特徴とする請求項１又は２に記載の薄型表示装置。
【請求項９】
プラズマディスプレイパネルと、前記プラズマディスプレイパネルに取り付けられた導電性シャーシと、前記導電性シャーシに取り付けられた複数の基板と、前記基板同士を電気的に接続するフレキシブルケーブルとを備えるプラズマディスプレイであって、
前記基板間で前記フレキシブルケーブルの少なくとも一部を固定する固定部材が設けられていることを特徴とするプラズマディスプレイ。
【請求項１０】
プラズマディスプレイパネルと、前記プラズマディスプレイパネルに取り付けられた導電性シャーシと、前記導電性シャーシに取り付けられた基板と、前記プラズマディスプレイパネル及び前記基板を電気的に接続するフレキシブルケーブルとを備えるプラズマディスプレイであって、
前記プラズマディスプレイパネルと前記基板との間で前記フレキシブルケーブルの少なくとも一部を固定する固定部材が設けられていることを特徴とするプラズマディスプレイ。
【発明の詳細な説明】
【技術分野】  本発明は、プラズマディスプレイ、液晶ディスプレイ等の薄型表示装置に関する。
【背景技術】  電子機器の筺体内部において回路基板間で信号伝送を行うために信号伝送用ケーブルが用いられている。そのケーブルとして近年では、電子機器の小型化、高密度化に伴い、薄いシート状のフレキシブルケーブル（一般的にＦＦＣ（Ｆｌｅｘｉｂｌｅ  Ｆｌａｔ  Ｃａｂｌｅ）、ＦＰＣ（Ｆｌｅｘｉｂｌｅ  Ｐｒｉｎｔｅｄ  Ｃｉｒｃｕｉｔ）と呼ばれている）が使用されることが多くなっている。このフレキシブルケーブルは、従来のフラットケーブルよりコネクタが小さいことから回路基板上の実装面積が小さくて済む、ケーブルが薄く柔軟性があり自由度が大きい等の理由で使用されている。
その一方で、伝送する信号の高速化（高周波化）により、電子機器内部の回路基板間の信号伝送を行うケーブルから放射される電磁波ノイズの問題が顕在化してきている。この電磁波ノイズの放射を抑制するため、例えば特開２００２−１１７７２６号公報に開示されているように、薄いシート状のフレキシブルケーブルにおいてもシールドを施す場合がある。図８にシールドを施したフレキシブルケーブル１０８の構成を概略的に示す。
このフレキシブルケーブル１０８では、シート状のシールド導体１０２と、シート状の絶縁体１０１とが積層され、これらの全体が絶縁被覆１０７により被覆されている。絶縁体１０１中には複数の導線が平行に設けられている。これら複数の導線は、クロック信号線などの高速信号線１０３、グラウンド線１０４、シールドグラウンド線（シールドドレイン線）１０５、コントロール信号線などの低速信号線１０６等からなる。シールドグラウンド線１０５は、シールド導体１０２をフレキシブルケーブルが接続される回路基板のグラウンドに接続するためのもので、シールド導体１０２に接続されている。グラウンド線１０４は、シールド導体１０２に接続されておらず、独立している。このフレキシブルケーブル１０８では、シールドのために高速信号線１０３とシールドグラウンド線１０５が隣り合うように配置されている。なお、フレキシブルケーブル１０８には、この他にも電源線や他の信号線が設けられているが、同図においてその図示は省略し、次に述べる従来の問題点に関わる導線のみを図示している。
上記のようなシールドを施したフレキシブルケーブル１０８では、シールド導体１０２とシールドグラウンド線１０５によって電磁波ノイズ抑制効果が得られるが、多層構造になるので非常に高価なフレキシブルケーブルとなる。さらに、図４（ａ）に示すように、フレキシブルケーブル１１によって各基板間の接続をするときには遊びを持たせているので、フレキシブルケーブル１１は図４（ａ）のようにふくらみを持った状態で配設されることとなる。
しかしながら、例えばプラズマディスプレイの内部にあるアルミシャーシ２に取り付けられた基板間の接続にフレキシブルケーブルを用いる場合、アルミシャーシ２は、駆動系グラウンドと信号系グラウンドと筺体とに接続されているので、フレキシブルケーブル１１とアルミシャーシ２との間には浮遊容量が存在している。このため、フレキシブルケーブ１１に遊びを持たせた状態で接続を行っている場合には、図４（ａ）に示すようなふくらみ方にばらつきが生ずるので浮遊容量がばらつくこととなる。また、フレキシブルケーブルは軟らかく変形しやすいものなので、この変形により浮遊容量が変化しやすい。この場合において、フレキシブルケーブル１１のふくらみが大きくなってフレキシブルケーブル１１がアルミシャーシ２から遠ざかると浮遊容量が小さくなり、フレキシブルケーブル１１内の信号の高調波成分をグラウンドに流すのが困難となり、フレキシブルケーブル１１からの高周波成分の放射を助長することになる。
【発明の開示】
本発明は、前記従来の課題に鑑みてなされたもので、フレキシブルケーブル等のケーブルによる電磁波ノイズを効果的に抑制できる構成とし、この構成を簡単で安価に実施できるようにすることを目的とする。
上記の目的を達成するために、本発明は、表示パネルと、前記表示パネルに取り付けられた導電性シャーシと、前記導電性シャーシに取り付けられた複数の基板と、前記基板同士を電気的に接続するケーブルとを備える薄型表示装置を前提として、前記基板間で前記ケーブルの少なくとも一部を固定する固定部材が設けられている。
この薄型表示装置では、ケーブル内の信号線と導電性シャーシとの間にケーブルの絶縁材料を利用した浮遊容量が形成される。そして、固定部材により基板間においてケーブルを固定しているので、前記浮遊容量のばらつきを生じ難くくすることができる。このため、浮遊容量が小さくなって高調波成分をグラウンドに流せなくなるという事態を起こり難くすることができ、ケーブルの絶縁材料を利用した浮遊コンデンサーを安定して形成することで高周波ノイズを効果的に低減することができる。
また、本発明は、表示パネルと、前記表示パネルに取り付けられた導電性シャーシと、前記導電性シャーシに取り付けられた基板と、前記表示パネル及び前記基板を電気的に接続するケーブルとを備える薄型表示装置を前提として、前記表示パネルと前記基板との間で前記ケーブルの少なくとも一部を固定する固定部材が設けられている構成とすることも可能である。
ここで、前記固定部材を、前記ケーブルを前記導電性シャーシとの間に挟み込む板状部材によって構成すれば、ケーブルの大部分を導電性シャーシに沿わせることができ、浮遊容量を増大させることができる。この結果、浮遊容量を介して高周波成分を導電性シャーシにより充分に流すことができて高周波ノイズをより効果的に低減することができる。しかも、板状部材でケーブルを挟み込むだけの構成なので、非常に簡単な構成で高周波ノイズを効果的に低減することができる。さらに、ふくらみがなくなるように前記ケーブルを板状部材で挟み込む構成となるので、配線スペースを狭くでき、表示装置の薄型化に寄与できる。
さらに、前記板状部材を金属板によって構成すれば、ケーブルを両面から金属で挟み込む構成にできて浮遊容量を倍増できるとともに、この金属板によるシールド機能により高周波ノイズの放射を一層低減することができる。
また、前記金属板を、導電性を有する締結部材によって前記導電性シャーシと締結するようにすれば、この締結部材を介して高周波ノイズ成分をグラウンドに流すことができ、高周波ノイズの放射を効率的に抑制することができる。
前記ケーブルをフレキシブルケーブルによって構成することができる。つまり、フレキシブルケーブルは柔軟性があって変形しやすいものであるが、固定部材で固定することにより、基板に装着後は外力を受けても変形しづらくなる。このため、フレキシブルケーブルを使用する場合においても浮遊容量を一定にすることができる。
前記フレキシブルケーブルは、信号線が配設された絶縁層のみを備える一層構造に構成されている場合には、高周波ノイズの放射を抑制しつつコストを低減することができる。
前記導電性シャーシは、アルミニウムからなるのが好ましい。
また、本発明は、プラズマディスプレイパネル（以下、ＰＤＰと記す）と、前記ＰＤＰに取り付けられた導電性シャーシと、前記導電性シャーシに取り付けられた複数の基板と、前記基板同士を電気的に接続するフレキシブルケーブルとを備えるプラズマディスプレイを前提として、前記基板間で前記フレキシブルケーブルの少なくとも一部を固定する固定部材が設けられている構成としてもよい。
また、本発明は、ＰＤＰと、前記ＰＤＰに取り付けられた導電性シャーシと、前記導電性シャーシに取り付けられた基板と、前記ＰＤＰと前記基板とを電気的に接続するフレキシブルケーブルとを備えるプラズマディスプレイを前提として、前記ＰＤＰと前記基板との間で前記フレキシブルケーブルの少なくとも一部を固定する固定部材が設けられている構成としてもよい。
【図面の簡単な説明】  図１（ａ）は本発明の実施例１に従うプラズマディスプレイの背面図であり、図１（ｂ）は図１（ａ）のＩ−Ｉ線における断面図である。
図２は、前記プラズマディスプレイに用いられるフレキシブルケーブルの一例を示す断面図である。
図３（ａ）は本発明の実施例１に従う押え板を示す正面図であり、図３（ｂ）はこの押え板の側面図であり、図３（ｃ）はこの押え板の下面図である。
図４（ａ）及び図４（ｂ）は従来例と本発明の実施例１との比較を示す説明図であり、図４（ａ）は従来例の図１（ｂ）相当図であり、図４（ｂ）は実施例１の図１（ｂ）相当図である。
図５（ａ）はフレキシブルケーブルとアルミシャーシとの間に形成される浮遊容量を説明するための説明図であり、図５（ｂ）はその等価回路を示す図である。
図６（ａ）は、本発明の実施例２に従う押え板を示す断面図であり、図６（ｂ）はこの押え板をアルミシャーシに締結した状態を示す断面図である。
図７（ａ）は本発明の実施例３に従う押え板をアルミシャーシに締結した状態を示す図であり、図７（ｂ）は図７（ａ）のＶＩＩ−ＶＩＩ線における断面図である。
図８は、シールドを施したフレキシブルケーブルを示す断面図である。
【発明を実施するための最良の形態】  本発明を実施するための最良の形態について図面を参照しつつ説明する。
【実施例１】  図１に示すように、本発明の実施例１によるプラズマディスプレイ１においては、ＰＤＰ１０の背面側にアルミシャーシ２が取り付けられている。このアルミシャーシ２はアルミダイキャスト製のものであり、このアルミシャーシ２には、サスティンドライバ基板３、スキャンドライバ基板４、下側データドライバ基板５、上側データドライバ基板６、信号処理基板７等の複数の基板が所定位置に取り付けられている。信号処理基板７は、アルミシャーシ２の略中央部に配設されており、この信号処理基板７を挟んでその下側に前記下側データドライバ基板５が、また上側に前記上側データドライバ基板６が配設されている。前記サスティンドライバ基板３は、図１（ａ）における信号処理基板７の右側に、また前記スキャンドライバ基板４は、図１（ａ）における信号処理基板７の左側にそれぞれ配設されている。
前記各基板３，４，‥は電気的に接続されている。例えば図１（ａ）に示すように、下側データドライバ基板５と信号処理基板７とはフレキシブルケーブル８ａによって電気的に接続され、また上側データドライバ基板６と信号処理基板７とはフレキシブルケーブル８ｂによって電気的に接続されている。また、スキャンドライバ基板４と信号処理基板７とはフレキシブルケーブル８ｃによって、またサスティンドライバ基板３と信号処理基板７とはフレキシブルケーブル８ｄによってそれぞれ電気的に接続されている。信号処理基板７は、下側データドライバ基板５と上側データドライバ基板６とのちょうど中間に位置していて、フレキシブルケーブル８ａとフレキシブルケーブル８ｂは略同じ長さとなっている。これにより、タイミングを取りやすくなっている。
ここでは、上側データドライバ基板６と信号処理基板７とを接続するのに用いられているフレキシブルケーブル８ｂに関して説明するが、その他の所定の基板間を接続するフレキシブルケーブルに関しても同様であるのでその説明を省略する。なお、図１（ａ）及び（ｂ）においては、便宜上図示省略しているが、フレキシブルケーブル８ｂの両端部にはそれぞれコネクタが設けられており、このコネクタを基板６，７のコネクタに差し込むことによってフレキシブルケーブル８ｂと基板６，７とが接続されている。
上側データドライバ基板６と信号処理基板７とを接続するフレキシブルケーブル８ｂは、例えば図２に示すようにシールド層を有しない一層構造に構成されるものである。即ち、このフレキシブルケーブル８ｂは、その幅方向に複数の信号線２１，２２，２３，２４が並べられたシート状の絶縁体２０を備えており、図８で示したようなシールド導体を備えていない。言い換えるとフレキシブルケーブル８ｂは多層構造を有していない。絶縁体２０は絶縁被覆２７によって被覆されている。なお、この絶縁被覆２７を省略した構成としてもよい。前記信号線は、高速信号線２１、低速信号線２２、シールドグラウンド線２３、グラウンド線２４等からなり、その他の信号線については便宜上図示省略している。このフレキシブルケーブル８ｂは、例えば５０〜６０ｍｂｐｓの転送レートで信号を送る。
フレキシブルケーブル８ａ，８ｂは、前記コネクタ間の所定の部位が図１（ａ）及び（ｂ）に示すように押え板９ａ，９ｂによって固定されている。この押え板９ａ，９ｂは、フレキシブルケーブル８ａ，８ｂをアルミシャーシ２に対して固定する固定部材の一例である。本実施例１では、押え板９ａ，９ｂは金属板によって構成されている。この金属板は、例えば、圧延鋼、ステンレス鋼、アルミニウム、アルミニウム合金、銅、銅合金等により構成することができる。なお、押え板９ａ，９ｂの材質は、金属に限られるものではなく、樹脂等何であってもよい。
押え板９ａ，９ｂは、図３に示すように、一対の押え部３１，３１と、これら両押え部３１，３１を連結するための連結部３３とを備えている。各押え部３１，３１は、それぞれフレキシブルケーブル８ａ，８ｂをアルミシャーシ２に押え付けて保持するための部位である。各押え部３１，３１は、それぞれ細長の矩形平板状に形成されており、同じ形状を有している。そして、各押え部３１，３１はフレキシブルケーブル８ａ，８ｂの長さ方向に沿って延びるように配置される。
押え板９ａ，９ｂは、両押え部３１，３１によって２本のフレキシブルケーブル８ａ，８ｂを固定してもよく、あるいは一方の押え部３１だけを使用して一本のフレキシブルケーブル８ａ，８ｂを固定するようにしてもよい。
また、２本のフレキシブルケーブル８ａ，８ｂを固定できる形態のものに限られず、１本のフレキシブルケーブル８ａ，８ｂのみを固定できる形態としてもよい。
連結部３３は、各押え部３１，３１の一方の長辺同士を連結するように形成されている。各押え部３１，３１の他の３辺は、その端部が折り曲げられており、フレキシブルケーブル８ａ，８ｂを傷付けないようになっている。
連結部３３は、図３（ｃ）に示すように、押え部３１，３１に対して張り出すように折り曲げられた形状に形成されている。このように形成することで、連結部３３がアルミシャーシ２に突設された図略のボスに当接しても、各押え部３１，３１によってフレキシブルケーブル８ａ，８ｂを押え付けることができるようになっている。そして、連結部３３には、２つの締結孔３５，３５が設けられていて、この締結孔３５，３５に図外のビスを挿通して前記ボスに螺合することで、押え板９ａ，９ｂをアルミシャーシ２に固定できる。換言すれば、本実施例１では、連結部３３に２つの締結孔３５，３５を設けることで、フレキシブルケーブル８ａ，８ｂの長さ方向の２箇所で押え板９ａ，８ｂをアルミシャーシ２に固定するようにしている。なお、押え板９ａ，９ｂの固定方法は、ビスを螺合させるものに限られず、例えば図略のリベットによる締結、かしめ等による固定とすることも可能である。
フレキシブルケーブル８ａ，８ｂは、アルミシャーシ２と押え板９ａ，９ｂとの間に挟み込まれており、全体としてはアルミシャーシ２及び押え板９ａ，９ｂに密着されている。ただし、本実施例１では、アルミシャーシ２は、ダイキャスト製のものであり、その表面が粗くなっているため、アルミシャーシ２とフレキシブルケーブル８ａ，８ｂとの間に隙間が介在するところも存在すると考えられる。その場所での隙間幅はおよそ１〜２ｍｍと考えられる。また、アルミシャーシ２にリブ（図示省略）が突設され、このリブを跨ぐようにフレキシブルケーブル８ａ，８ｂが配設されている場合には、このリブの存在によってもアルミシャーシ２とフレキシブルケーブル８ａ，８ｂとの間に隙間が介在することとなるが、そのような場合には３〜５ｍｍの隙間が形成されることとなる。
本実施例では、図１、図４（ｂ）に示すように、押え板９ａ，９ｂによってフレキシブルケーブル８ａ，８ｂをアルミシャーシ１に密着させることができるので、図４（ａ）に示す従来例に対し、浮遊容量を増加させることができる。具体的に説明すると、図５（ａ）に示すように、フレキシブルケーブル８ａ（８ｂ）の例えば銅線からなる信号線４１について考えると、この信号線４１とアルミシャーシ２との間の電気容量Ｃは、空気の電気容量Ｃａと、絶縁体２０及び絶縁被膜２７からなる絶縁層４３の電気容量Ｃｆとの合成容量として表すことができる。ここで、空気の比誘電率εａが１であるのに対し、絶縁層の比誘電率εｆが４．３〜４．４であることを考慮すれば、合成容量Ｃは、図５（ｂ）に示す等価回路を考えると、
2004093036.tif 000003
と表すことができる。したがって、浮遊容量を大きくするためには、隙間幅をできるだけ小さくすることが望ましく、フレキシブルケーブル８ａ（８ｂ）をアルミシャーシ２に密着させるのが好ましい。ただし、前述したように、所々にアルミシャーシ２と押え板９ａ（９ｂ）との間に１〜５ｍｍ程度の隙間があったとしても、高調波成分をグラウンドに充分流すことができる程度に浮遊容量を確保することができる。
以上説明したように、本実施例１では、フレキシブルケーブル８ａ，８ｂとアルミシャーシ２との間隔が変わらないように押え板９ａ，９ｂによってフレキシブルケーブル８ａ，８ｂを固定しているので、浮遊容量のばらつきを生じ難くくすることができる。すなわち、図４（ａ）に示す従来例では、ふくらみ方で浮遊容量の値が変化するのに対し、本実施例１では、押え板９ａ，９ｂによってフレキシブルケーブル８ａ，８ｂが固定されるので、浮遊容量の値を安定させることができる。このため、浮遊容量が小さくなって高調波成分をグラウンドに流せなくなるという事態を起こり難くすることができ、フレキシブルケーブル８ａ，８ｂの絶縁材料を利用した浮遊コンデンサーを安定して形成することで高周波ノイズを効果的に低減することができる。
さらに、フレキシブルケーブル８ａ，８ｂを押え板９ａ，９ｂによってアルミシャーシ２に押し付ける構成とすることにより、フレキシブルケーブル８ａ，８ｂをアルミシャーシ２に沿わせるようにしているので、浮遊容量を増大させることができる。このため、浮遊容量を介して高周波成分をアルミシャーシ２（グラウンド）により多く流すことができて高周波ノイズをより効率的に軽減することができる。
また、押え板９ａ，９ｂによって基板５，６，７間の大部分のフレキシブルケーブル８ａ，８ｂをアルミシャーシ２との間に挟み込むようにしているので、この基板５，６，７間の大部分でフレキシブルケーブル８ａ，８ｂとアルミシャーシ２との間隙が変わらないようにフレキシブルケーブル８ａ，８ｂを固定することができる。この結果、フレキシブルケーブル８ａ，８ｂによる浮遊容量の値が変化するのを抑制することができる。尚、フレキシブルケーブル８ａ，８ｂを押え付ける範囲は、電圧を考慮して適宜決めればいい。
本実施例１の説明においては、各データドライバ基板５，６と信号処理基板７，７とを電気的に接続するのに用いられているフレキシブルケーブル８ａ，８ｂを押え板９ａ，９ｂによってそれぞれ固定する構成について説明したが、このケーブル８ａ，８ｂを固定する構成に限られるものではない。つまり、プラズマディスプレイ１においては、前述したように例えばサスティンドライバ基板３、スキャンドライバ基板４等の多数の基板がアルミシャーシ２に取り付けられているので、基板３，４、‥間を接続するケーブル８ｃ，８ｄのうち少なくとも一部のケーブルについて、押え板によって固定する構成とすることもできる。もちろん全てのケーブルについて、押え板で固定する構成にすることも可能である。
また、本発明は、基板３，４，‥間同士を接続するケーブル８ａ，８ｂ，‥を固定する構成に限られるものではなく、例えばＰＤＰ１０と基板とを電気的に接続するケーブルについて、その途中で押え板によって固定する構成とすることも可能である。例えば図１には、ＰＤＰ１０とサスティンドライバ基板３とを電気的に接続するフレキシブルケーブル８ｅについて、ＰＤＰ１０とサスティンドライバ基板３との間の部位を押え板９ｃで固定する構成について例示的に示している。
【実施例２】  前記実施例１では、押え板９ａ，９ｂをフレキシブルケーブル８ａ，８ｂの長さ方向の２箇所で締結する構成としているが、本実施例２では、図６に示すようにフレキシブルケーブル８の長さ方向の１個所で締結する構成としている。この場合において、押え板９をフレキシブルケーブル８よりも幅広に構成し、この押え板９をフレキシブルケーブル８の両側で締結するようにするとよい。同図に示すように、アルミシャーシ２にはねじ穴４８が設けられたボス４７が圧入されていて、このボス４７に押え板９を締結するビス５０を螺合することで、押え板９はアルミシャーシ２に固定されている。
そして、図６（ａ）に示すように、押え板９にばね性を持たせることで、その付勢力を利用してフレキシブルケーブル８を押え付けるようにするとより効果的である。この押え板９は、板ばねとして機能するものであれば金属板でもよく、また樹脂等金属以外の板であってもよい。
このようにフレキシブルケーブル８の長さ方向の１個所で締結する構成は、アルミシャーシ２がダイキャスト製ではなく、プレス板によって構成されていて表面が滑らかな場合等に適する。
アルミシャーシ２の表面が滑らかなときには、フレキシブルケーブル８をアルミシャーシ２の表面に密着させることができるので、アルミシャーシ２がプレス板によって構成されている場合に本発明を適用することは、非常に効果的である。
尚、その他の構成、作用及び効果は前記実施例１と同様である。
【実施例３】  本発明の実施例３によるプラズマディスプレイについて図７（ａ）及び（ｂ）を参照しながら説明する。同図において、アルミシャーシ２、フレキシブルケーブル８は前記実施例１と同じものである。ここでは、実施例１と異なる部分の説明をし、実施例１と同じ構成については同じ符号を付し、その説明を省略する。
本実施例３では、押え板１２をアルミシャーシ２と電気的に接続するようにしている。押え板１２は例えばアルミ板としている。また、アルミシャーシ２にはねじ穴１６が形成されたボス１３が埋め込まれていて、このボス１３のねじ穴１６に押え板１２のねじ挿通孔１８に挿通された導電性を有するビス１４が螺合されている。このビス１４としては、例えば鋼材に導電性の低い金属めっき（例えばニッケルめっき）を施したものを用いることができる。したがって、押え板１２とボス１３とをビス１４によって締結することで押え板１２とアルミシャーシ２との電気的接続が図られている。
以上により、押え板１２によってフレキシブルケーブル８が変形しないように固定され、さらにこの押え板１２を金属板によって構成しているので、この押え板１２とアルミシャーシ２とによってフレキシブルケーブル８が取り囲まれることで、浮遊容量を倍増できるとともに高周波ノイズの放射を有効に抑制することができる。しかも、押え板１２をアルミシャーシ２と電気的に接続しているので、アルミシャーシ２と押え板１２の双方がグラウンドに接続されることとなり、押え板１２を介して高周波ノイズをグラウンドにバイパスさせることができる。
したがって、フレキシブルケーブル８をアルミシャーシ２に密着させることで高周波ノイズを抑制でき、さらに金属製押え板１２によってフレキシブルケーブル８を固定することで、安価な構成でシールド効果を実現できるとともに、浮遊容量の増大により高周波ノイズを一層低減することができる。
なお、本実施例３では、ビス１４を介して押え板１２とアルミシャーシ２とを電気的に接続するようにしたが、これに限られるものではなく、押え板１２とアルミシャーシ２との導電性が得られるものであれば、どのような構成であってもよい。
【産業上の利用可能性】  本発明は、プラズマディスプレイ、液晶ディスプレイ等の導電性シャーシを備えた薄型表示装置に利用できる。
【図１】
2004093036.tif 000004
【図２】
2004093036.tif 000005
【図３】
2004093036.tif 000006
【図４】
2004093036.tif 000007
【図５】
2004093036.tif 000008
【図６】
2004093036.tif 000009
【図７】
2004093036.tif 000010
【図８】
2004093036.tif 000011
【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
表示パネルと、前記表示パネルに取り付けられた導電性シャーシと、前記導電性シャーシに取り付けられた複数の基板と、前記基板同士を電気的に接続するケーブルとを備える薄型表示装置であって、
前記基板間で前記ケーブルの少なくとも一部を固定する固定部材が設けられていることを特徴とする薄型表示装置。
【請求項２】
表示パネルと、前記表示パネルに取り付けられた導電性シャーシと、前記導電性シャーシに取り付けられた基板と、前記表示パネル及び前記基板を電気的に接続するケーブルとを備える薄型表示装置であって、
前記表示パネルと前記基板との間で前記ケーブルの少なくとも一部を固定する固定部材が設けられていることを特徴とする薄型表示装置。
【請求項３】
前記固定部材は、前記ケーブルを前記導電性シャーシとの間に挟み込む板状部材によって構成されていることを特徴とする請求項１又は２に記載の薄型表示装置。
【請求項４】
前記板状部材は、金属板によって構成されていることを特徴とする請求項３に記載の薄型表示装置。
【請求項５】
前記金属板は、導電性を有する締結部材によって前記導電性シャーシと締結されていることを特徴とする請求項４に記載の薄型表示装置。
【請求項６】
前記ケーブルは、フレキシブルケーブルによって構成されていることを特徴とする請求項１又は２に記載の薄型表示装置。
【請求項７】
前記フレキシブルケーブルは一層構造に構成されていることを特徴とする請求項６に記載の薄型表示装置。
【請求項８】
前記導電性シャーシは、アルミニウムからなることを特徴とする請求項１又は２に記載の薄型表示装置。
【請求項９】
プラズマディスプレイパネルと、前記プラズマディスプレイパネルに取り付けられた導電性シャーシと、前記導電性シャーシに取り付けられた複数の基板と、前記基板同士を電気的に接続するフレキシブルケーブルとを備えるプラズマディスプレイであって、
前記基板間で前記フレキシブルケーブルの少なくとも一部を固定する固定部材が設けられていることを特徴とするプラズマディスプレイ。
【請求項１０】
プラズマディスプレイパネルと、前記プラズマディスプレイパネルに取り付けられた導電性シャーシと、前記導電性シャーシに取り付けられた基板と、前記プラズマディスプレイパネル及び前記基板を電気的に接続するフレキシブルケーブルとを備えるプラズマディスプレイであって、
前記プラズマディスプレイパネルと前記基板との間で前記フレキシブルケーブルの少なくとも一部を固定する固定部材が設けられていることを特徴とするプラズマディスプレイ。
【手続補正２】
【補正対象書類名】明細書
【補正対象項目名】全文
【補正方法】変更
【補正の内容】
【発明の詳細な説明】
【技術分野】
【０００１】
本発明は、プラズマディスプレイ、液晶ディスプレイ等の薄型表示装置に関するものである。
【背景技術】
【０００２】
電子機器の筺体内部において回路基板間で信号伝送を行うために信号伝送用ケーブルが用いられている。そのケーブルとして近年では、電子機器の小型化、高密度化に伴い、薄いシート状のフレキシブルケーブル（一般的にＦＦＣ（Flexible Flat Cable）、ＦＰＣ（Flexible Printed Circuit）と呼ばれている）が使用されることが多くなっている。このフレキシブルケーブルは、従来のフラットケーブルよりコネクタが小さいことから回路基板上の実装面積が小さくて済む、ケーブルが薄く柔軟性があり自由度が大きい等の理由で使用されている。
【０００３】
その一方で、伝送する信号の高速化（高周波化）により、電子機器内部の回路基板間の信号伝送を行うケーブルから放射される電磁波ノイズの問題が顕在化してきている。この電磁波ノイズの放射を抑制するため、例えば特開２００２−１１７７２６号公報に開示されているように、薄いシート状のフレキシブルケーブルにおいてもシールドを施す場合がある。図８にシールドを施したフレキシブルケーブル１０８の構成を概略的に示す。
【０００４】
このフレキシブルケーブル１０８では、シート状のシールド導体１０２と、シート状の絶縁体１０１とが積層され、これらの全体が絶縁被覆１０７により被覆されている。絶縁体１０１中には複数の導線が平行に設けられている。これら複数の導線は、クロック信号線などの高速信号線１０３、グラウンド線１０４、シールドグラウンド線（シールドドレイン線）１０５、コントロール信号線などの低速信号線１０６等からなる。シールドグラウンド線１０５は、シールド導体１０２をフレキシブルケーブルが接続される回路基板のグラウンドに接続するためのもので、シールド導体１０２に接続されている。グラウンド線１０４は、シールド導体１０２に接続されておらず、独立している。このフレキシブルケーブル１０８では、シールドのために高速信号線１０３とシールドグラウンド線１０５が隣り合うように配置されている。なお、フレキシブルケーブル１０８には、この他にも電源線や他の信号線が設けられているが、同図においてその図示は省略し、次に述べる従来の問題点に関わる導線のみを図示している。
【０００５】
上記のようなシールドを施したフレキシブルケーブル１０８では、シールド導体１０２とシールドグラウンド線１０５によって電磁波ノイズ抑制効果が得られるが、多層構造になるので非常に高価なフレキシブルケーブルとなる。さらに、図４（ａ）に示すように、フレキシブルケーブル１１によって各基板間の接続をするときには遊びを持たせているので、フレキシブルケーブル１１は図４（ａ）のようにふくらみを持った状態で配設されることとなる。
【発明の開示】
【発明が解決しようとする課題】
【０００６】
しかしながら、例えばプラズマディスプレイの内部にあるアルミシャーシ２に取り付けられた基板間の接続にフレキシブルケーブルを用いる場合、アルミシャーシ２は、駆動系グラウンドと信号系グラウンドと筺体とに接続されているので、フレキシブルケーブル１１とアルミシャーシ２との間には浮遊容量が存在している。このため、フレキシブルケーブ１１に遊びを持たせた状態で接続を行っている場合には、図４（ａ）に示すようなふくらみ方にばらつきが生ずるので浮遊容量がばらつくこととなる。また、フレキシブルケーブルは軟らかく変形しやすいものなので、この変形により浮遊容量が変化しやすい。この場合において、フレキシブルケーブル１１のふくらみが大きくなってフレキシブルケーブル１１がアルミシャーシ２から遠ざかると浮遊容量が小さくなり、フレキシブルケーブル１１内の信号の高調波成分をグラウンドに流すのが困難となり、フレキシブルケーブル１１からの高周波成分の放射を助長することになる。
【０００７】
本発明は、前記従来の課題に鑑みてなされたもので、フレキシブルケーブル等のケーブルによる電磁波ノイズを効果的に抑制できる構成とし、この構成を簡単で安価に実施できるようにすることを目的とする。
【課題を解決するための手段】
【０００８】
上記の目的を達成するために、本発明は、表示パネルと、前記表示パネルに取り付けられた導電性シャーシと、前記導電性シャーシに取り付けられた複数の基板と、前記基板同士を電気的に接続するケーブルとを備える薄型表示装置を前提として、前記基板間で前記ケーブルの少なくとも一部を固定する固定部材が設けられている。
【０００９】
この薄型表示装置では、ケーブル内の信号線と導電性シャーシとの間にケーブルの絶縁材料を利用した浮遊容量が形成される。そして、固定部材により基板間においてケーブルを固定しているので、前記浮遊容量のばらつきを生じ難くくすることができる。このため、浮遊容量が小さくなって高調波成分をグラウンドに流せなくなるという事態を起こり難くすることができ、ケーブルの絶縁材料を利用した浮遊コンデンサーを安定して形成することで高周波ノイズを効果的に低減することができる。
【００１０】
また、本発明は、表示パネルと、前記表示パネルに取り付けられた導電性シャーシと、前記導電性シャーシに取り付けられた基板と、前記表示パネル及び前記基板を電気的に接続するケーブルとを備える薄型表示装置を前提として、前記表示パネルと前記基板との間で前記ケーブルの少なくとも一部を固定する固定部材が設けられている構成とすることも可能である。
【００１１】
ここで、前記固定部材を、前記ケーブルを前記導電性シャーシとの間に挟み込む板状部材によって構成すれば、ケーブルの大部分を導電性シャーシに沿わせることができ、浮遊容量を増大させることができる。この結果、浮遊容量を介して高周波成分を導電性シャーシにより充分に流すことができて高周波ノイズをより効果的に低減することができる。しかも、板状部材でケーブルを挟み込むだけの構成なので、非常に簡単な構成で高周波ノイズを効果的に低減することができる。さらに、ふくらみがなくなるように前記ケーブルを板状部材で挟み込む構成となるので、配線スペースを狭くでき、表示装置の薄型化に寄与できる。
【００１２】
さらに、前記板状部材を金属板によって構成すれば、ケーブルを両面から金属で挟み込む構成にできて浮遊容量を倍増できるとともに、この金属板によるシールド機能により高周波ノイズの放射を一層低減することができる。
【００１３】
また、前記金属板を、導電性を有する締結部材によって前記導電性シャーシと締結するようにすれば、この締結部材を介して高周波ノイズ成分をグラウンドに流すことができ、高周波ノイズの放射を効率的に抑制することができる。
【００１４】
前記ケーブルをフレキシブルケーブルによって構成することができる。つまり、フレキシブルケーブルは柔軟性があって変形しやすいものであるが、固定部材で固定することにより、基板に装着後は外力を受けても変形しづらくなる。このため、フレキシブルケーブルを使用する場合においても浮遊容量を一定にすることができる。
【００１５】
前記フレキシブルケーブルは、信号線が配設された絶縁層のみを備える一層構造に構成されている場合には、高周波ノイズの放射を抑制しつつコストを低減することができる。
【００１６】
前記導電性シャーシは、アルミニウムからなるのが好ましい。
【００１７】
また、本発明は、プラズマディスプレイパネル（以下、ＰＤＰと記す）と、前記ＰＤＰに取り付けられた導電性シャーシと、前記導電性シャーシに取り付けられた複数の基板と、前記基板同士を電気的に接続するフレキシブルケーブルとを備えるプラズマディスプレイを前提として、前記基板間で前記フレキシブルケーブルの少なくとも一部を固定する固定部材が設けられている構成としてもよい。
【００１８】
また、本発明は、ＰＤＰと、前記ＰＤＰに取り付けられた導電性シャーシと、前記導電性シャーシに取り付けられた基板と、前記ＰＤＰと前記基板とを電気的に接続するフレキシブルケーブルとを備えるプラズマディスプレイを前提として、前記ＰＤＰと前記基板との間で前記フレキシブルケーブルの少なくとも一部を固定する固定部材が設けられている構成としてもよい。
【発明の効果】
【００１９】
本発明によれば、浮遊容量が小さくなって高調波成分をグラウンドに流せなくなるという事態を起こり難くすることができ、ケーブルの絶縁材料を利用した浮遊コンデンサーを安定して形成することで高周波ノイズを効果的に低減することができる。
【発明を実施するための最良の形態】
【００２０】
本発明を実施するための最良の形態について図面を参照しつつ説明する。
【００２１】
（実施例１）
図１に示すように、本発明の実施例１によるプラズマディスプレイ１においては、ＰＤＰ１０の背面側にアルミシャーシ２が取り付けられている。このアルミシャーシ２はアルミダイキャスト製のものであり、このアルミシャーシ２には、サスティンドライバ基板３、スキャンドライバ基板４、下側データドライバ基板５、上側データドライバ基板６、信号処理基板７等の複数の基板が所定位置に取り付けられている。信号処理基板７は、アルミシャーシ２の略中央部に配設されており、この信号処理基板７を挟んでその下側に前記下側データドライバ基板５が、また上側に前記上側データドライバ基板６が配設されている。前記サスティンドライバ基板３は、図１（ａ）における信号処理基板７の右側に、また前記スキャンドライバ基板４は、図１（ａ）における信号処理基板７の左側にそれぞれ配設されている。
【００２２】
前記各基板３，４，‥は電気的に接続されている。例えば図１（ａ）に示すように、下側データドライバ基板５と信号処理基板７とはフレキシブルケーブル８ａによって電気的に接続され、また上側データドライバ基板６と信号処理基板７とはフレキシブルケーブル８ｂによって電気的に接続されている。また、スキャンドライバ基板４と信号処理基板７とはフレキシブルケーブル８ｃによって、またサスティンドライバ基板３と信号処理基板７とはフレキシブルケーブル８ｄによってそれぞれ電気的に接続されている。信号処理基板７は、下側データドライバ基板５と上側データドライバ基板６とのちょうど中間に位置していて、フレキシブルケーブル８ａとフレキシブルケーブル８ｂは略同じ長さとなっている。これにより、タイミングを取りやすくなっている。
【００２３】
ここでは、上側データドライバ基板６と信号処理基板７とを接続するのに用いられているフレキシブルケーブル８ｂに関して説明するが、その他の所定の基板間を接続するフレキシブルケーブルに関しても同様であるのでその説明を省略する。なお、図１（ａ）及び（ｂ）においては、便宜上図示省略しているが、フレキシブルケーブル８ｂの両端部にはそれぞれコネクタが設けられており、このコネクタを基板６，７のコネクタに差し込むことによってフレキシブルケーブル８ｂと基板６，７とが接続されている。
【００２４】
上側データドライバ基板６と信号処理基板７とを接続するフレキシブルケーブル８ｂは、例えば図２に示すようにシールド層を有しない一層構造に構成されるものである。即ち、このフレキシブルケーブル８ｂは、その幅方向に複数の信号線２１，２２，２３，２４が並べられたシート状の絶縁体２０を備えており、図８で示したようなシールド導体を備えていない。言い換えるとフレキシブルケーブル８ｂは多層構造を有していない。絶縁体２０は絶縁被覆２７によって被覆されている。なお、この絶縁被覆２７を省略した構成としてもよい。前記信号線は、高速信号線２１、低速信号線２２、シールドグラウンド線２３、グラウンド線２４等からなり、その他の信号線については便宜上図示省略している。このフレキシブルケーブル８ｂは、例えば５０〜６０ｍｂｐｓの転送レートで信号を送る。
【００２５】
フレキシブルケーブル８ａ，８ｂは、前記コネクタ間の所定の部位が図１（ａ）及び（ｂ）に示すように押え板９ａ，９ｂによって固定されている。この押え板９ａ，９ｂは、フレキシブルケーブル８ａ，８ｂをアルミシャーシ２に対して固定する固定部材の一例である。本実施例１では、押え板９ａ，９ｂは金属板によって構成されている。この金属板は、例えば、圧延鋼、ステンレス鋼、アルミニウム、アルミニウム合金、銅、銅合金等により構成することができる。なお、押え板９ａ，９ｂの材質は、金属に限られるものではなく、樹脂等何であってもよい。
【００２６】
押え板９ａ，９ｂは、図３に示すように、一対の押え部３１，３１と、これら両押え部３１，３１を連結するための連結部３３とを備えている。各押え部３１，３１は、それぞれフレキシブルケーブル８ａ，８ｂをアルミシャーシ２に押え付けて保持するための部位である。各押え部３１，３１は、それぞれ細長の矩形平板状に形成されており、同じ形状を有している。そして、各押え部３１，３１はフレキシブルケーブル８ａ，８ｂの長さ方向に沿って延びるように配置される。
【００２７】
押え板９ａ，９ｂは、両押え部３１，３１によって２本のフレキシブルケーブル８ａ，８ｂを固定してもよく、あるいは一方の押え部３１だけを使用して一本のフレキシブルケーブル８ａ，８ｂを固定するようにしてもよい。
【００２８】
また、２本のフレキシブルケーブル８ａ，８ｂを固定できる形態のものに限られず、１本のフレキシブルケーブル８ａ，８ｂのみを固定できる形態としてもよい。
【００２９】
連結部３３は、各押え部３１，３１の一方の長辺同士を連結するように形成されている。各押え部３１，３１の他の３辺は、その端部が折り曲げられており、フレキシブルケーブル８ａ，８ｂを傷付けないようになっている。
【００３０】
連結部３３は、図３（ｃ）に示すように、押え部３１，３１に対して張り出すように折り曲げられた形状に形成されている。このように形成することで、連結部３３がアルミシャーシ２に突設された図略のボスに当接しても、各押え部３１，３１によってフレキシブルケーブル８ａ，８ｂを押え付けることができるようになっている。そして、連結部３３には、２つの締結孔３５，３５が設けられていて、この締結孔３５，３５に図外のビスを挿通して前記ボスに螺合することで、押え板９ａ，９ｂをアルミシャーシ２に固定できる。換言すれば、本実施例１では、連結部３３に２つの締結孔３５，３５を設けることで、フレキシブルケーブル８ａ，８ｂの長さ方向の２箇所で押え板９ａ，８ｂをアルミシャーシ２に固定するようにしている。なお、押え板９ａ，９ｂの固定方法は、ビスを螺合させるものに限られず、例えば図略のリベットによる締結、かしめ等による固定とすることも可能である。
【００３１】
フレキシブルケーブル８ａ，８ｂは、アルミシャーシ２と押え板９ａ，９ｂとの間に挟み込まれており、全体としてはアルミシャーシ２及び押え板９ａ，９ｂに密着されている。ただし、本実施例１では、アルミシャーシ２は、ダイキャスト製のものであり、その表面が粗くなっているため、アルミシャーシ２とフレキシブルケーブル８ａ，８ｂとの間に隙間が介在するところも存在すると考えられる。その場所での隙間幅はおよそ１〜２ｍｍと考えられる。また、アルミシャーシ２にリブ（図示省略）が突設され、このリブを跨ぐようにフレキシブルケーブル８ａ，８ｂが配設されている場合には、このリブの存在によってもアルミシャーシ２とフレキシブルケーブル８ａ，８ｂとの間に隙間が介在することとなるが、そのような場合には３〜５ｍｍの隙間が形成されることとなる。
【００３２】
本実施例では、図１、図４（ｂ）に示すように、押え板９ａ，９ｂによってフレキシブルケーブル８ａ，８ｂをアルミシャーシ１に密着させることができるので、図４（ａ）に示す従来例に対し、浮遊容量を増加させることができる。具体的に説明すると、図５（ａ）に示すように、フレキシブルケーブル８ａ（８ｂ）の例えば銅線からなる信号線４１について考えると、この信号線４１とアルミシャーシ２との間の電気容量Ｃは、空気の電気容量Ｃａと、絶縁体２０及び絶縁被膜２７からなる絶縁層４３の電気容量Ｃｆとの合成容量として表すことができる。ここで、空気の比誘電率εaが１であるのに対し、絶縁層の比誘電率εfが４．３〜４．４であることを考慮すれば、合成容量Ｃは、図５（ｂ）に示す等価回路を考えると、
【００３３】
【数１】
2004093036.tif 000012
と表すことができる。したがって、浮遊容量を大きくするためには、隙間幅をできるだけ小さくすることが望ましく、フレキシブルケーブル８ａ（８ｂ）をアルミシャーシ２に密着させるのが好ましい。ただし、前述したように、所々にアルミシャーシ２と押え板９ａ（９ｂ）との間に１〜５ｍｍ程度の隙間があったとしても、高調波成分をグラウンドに充分流すことができる程度に浮遊容量を確保することができる。
【００３４】
以上説明したように、本実施例１では、フレキシブルケーブル８ａ，８ｂとアルミシャーシ２との間隔が変わらないように押え板９ａ，９ｂによってフレキシブルケーブル８ａ，８ｂを固定しているので、浮遊容量のばらつきを生じ難くくすることができる。すなわち、図４（ａ）に示す従来例では、ふくらみ方で浮遊容量の値が変化するのに対し、本実施例１では、押え板９ａ，９ｂによってフレキシブルケーブル８ａ，８ｂが固定されるので、浮遊容量の値を安定させることができる。このため、浮遊容量が小さくなって高調波成分をグラウンドに流せなくなるという事態を起こり難くすることができ、フレキシブルケーブル８ａ，８ｂの絶縁材料を利用した浮遊コンデンサーを安定して形成することで高周波ノイズを効果的に低減することができる。
【００３５】
さらに、フレキシブルケーブル８ａ，８ｂを押え板９ａ，９ｂによってアルミシャーシ２に押し付ける構成とすることにより、フレキシブルケーブル８ａ，８ｂをアルミシャーシ２に沿わせるようにしているので、浮遊容量を増大させることができる。このため、浮遊容量を介して高周波成分をアルミシャーシ２（グラウンド）により多く流すことができて高周波ノイズをより効率的に軽減することができる。
【００３６】
また、押え板９ａ，９ｂによって基板５，６，７間の大部分のフレキシブルケーブル８ａ，８ｂをアルミシャーシ２との間に挟み込むようにしているので、この基板５，６，７間の大部分でフレキシブルケーブル８ａ，８ｂとアルミシャーシ２との間隙が変わらないようにフレキシブルケーブル８ａ，８ｂを固定することができる。この結果、フレキシブルケーブル８ａ，８ｂによる浮遊容量の値が変化するのを抑制することができる。尚、フレキシブルケーブル８ａ，８ｂを押え付ける範囲は、電圧を考慮して適宜決めればいい。
【００３７】
本実施例１の説明においては、各データドライバ基板５，６と信号処理基板７，７とを電気的に接続するのに用いられているフレキシブルケーブル８ａ，８ｂを押え板９ａ，９ｂによってそれぞれ固定する構成について説明したが、このケーブル８ａ，８ｂを固定する構成に限られるものではない。つまり、プラズマディスプレイ１においては、前述したように例えばサスティンドライバ基板３、スキャンドライバ基板４等の多数の基板がアルミシャーシ２に取り付けられているので、基板３，４、‥間を接続するケーブル８ｃ，８ｄのうち少なくとも一部のケーブルについて、押え板によって固定する構成とすることもできる。もちろん全てのケーブルについて、押え板で固定する構成にすることも可能である。
【００３８】
また、本発明は、基板３，４，‥間同士を接続するケーブル８ａ，８ｂ，‥を固定する構成に限られるものではなく、例えばＰＤＰ１０と基板とを電気的に接続するケーブルについて、その途中で押え板によって固定する構成とすることも可能である。例えば図１には、ＰＤＰ１０とサスティンドライバ基板３とを電気的に接続するフレキシブルケーブル８ｅについて、ＰＤＰ１０とサスティンドライバ基板３との間の部位を押え板９ｃで固定する構成について例示的に示している。
【００３９】
（実施例２）
前記実施例１では、押え板９ａ，９ｂをフレキシブルケーブル８ａ，８ｂの長さ方向の２箇所で締結する構成としているが、本実施例２では、図６に示すようにフレキシブルケーブル８の長さ方向の１個所で締結する構成としている。この場合において、押え板９をフレキシブルケーブル８よりも幅広に構成し、この押え板９をフレキシブルケーブル８の両側で締結するようにするとよい。同図に示すように、アルミシャーシ２にはねじ穴４８が設けられたボス４７が圧入されていて、このボス４７に押え板９を締結するビス５０を螺合することで、押え板９はアルミシャーシ２に固定されている。
【００４０】
そして、図６（ａ）に示すように、押え板９にばね性を持たせることで、その付勢力を利用してフレキシブルケーブル８を押え付けるようにするとより効果的である。この押え板９は、板ばねとして機能するものであれば金属板でもよく、また樹脂等金属以外の板であってもよい。
【００４１】
このようにフレキシブルケーブル８の長さ方向の１個所で締結する構成は、アルミシャーシ２がダイキャスト製ではなく、プレス板によって構成されていて表面が滑らかな場合等に適する。
【００４２】
アルミシャーシ２の表面が滑らかなときには、フレキシブルケーブル８をアルミシャーシ２の表面に密着させることができるので、アルミシャーシ２がプレス板によって構成されている場合に本発明を適用することは、非常に効果的である。
【００４３】
尚、その他の構成、作用及び効果は前記実施例１と同様である。
【００４４】
（実施例３）
本発明の実施例３によるプラズマディスプレイについて図７（ａ）及び（ｂ）を参照しながら説明する。同図において、アルミシャーシ２、フレキシブルケーブル８は前記実施例１と同じものである。ここでは、実施例１と異なる部分の説明をし、実施例１と同じ構成については同じ符号を付し、その説明を省略する。
【００４５】
本実施例３では、押え板１２をアルミシャーシ２と電気的に接続するようにしている。押え板１２は例えばアルミ板としている。また、アルミシャーシ２にはねじ穴１６が形成されたボス１３が埋め込まれていて、このボス１３のねじ穴１６に押え板１２のねじ挿通孔１８に挿通された導電性を有するビス１４が螺合されている。このビス１４としては、例えば鋼材に導電性の低い金属めっき（例えばニッケルめっき）を施したものを用いることができる。したがって、押え板１２とボス１３とをビス１４によって締結することで押え板１２とアルミシャーシ２との電気的接続が図られている。
【００４６】
以上により、押え板１２によってフレキシブルケーブル８が変形しないように固定され、さらにこの押え板１２を金属板によって構成しているので、この押え板１２とアルミシャーシ２とによってフレキシブルケーブル８が取り囲まれることで、浮遊容量を倍増できるとともに高周波ノイズの放射を有効に抑制することができる。しかも、押え板１２をアルミシャーシ２と電気的に接続しているので、アルミシャーシ２と押え板１２の双方がグラウンドに接続されることとなり、押え板１２を介して高周波ノイズをグラウンドにバイパスさせることができる。
【００４７】
したがって、フレキシブルケーブル８をアルミシャーシ２に密着させることで高周波ノイズを抑制でき、さらに金属製押え板１２によってフレキシブルケーブル８を固定することで、安価な構成でシールド効果を実現できるとともに、浮遊容量の増大により高周波ノイズを一層低減することができる。
【００４８】
なお、本実施例３では、ビス１４を介して押え板１２とアルミシャーシ２とを電気的に接続するようにしたが、これに限られるものではなく、押え板１２とアルミシャーシ２との導電性が得られるものであれば、どのような構成であってもよい。
【図面の簡単な説明】
【００４９】
【図１】図１（ａ）は本発明の実施例１に従うプラズマディスプレイの背面図であり、図１（ｂ）は図１（ａ）のＩ−Ｉ線における断面図である。
【図２】図２は、前記プラズマディスプレイに用いられるフレキシブルケーブルの一例を示す断面図である。
【図３】図３（ａ）は本発明の実施例１に従う押え板を示す正面図であり、図３（ｂ）はこの押え板の側面図であり、図３（ｃ）はこの押え板の下面図である。
【図４】図４（ａ）及び図４（ｂ）は従来例と本発明の実施例１との比較を示す説明図であり、図４（ａ）は従来例の図１（ｂ）相当図であり、図４（ｂ）は実施例１の図１（ｂ）相当図である。
【図５】図５（ａ）はフレキシブルケーブルとアルミシャーシとの間に形成される浮遊容量を説明するための説明図であり、図５（ｂ）はその等価回路を示す図である。
【図６】図６（ａ）は、本発明の実施例２に従う押え板を示す断面図であり、図６（ｂ）はこの押え板をアルミシャーシに締結した状態を示す断面図である。
【図７】図７（ａ）は本発明の実施例３に従う押え板をアルミシャーシに締結した状態を示す図であり、図７（ｂ）は図７（ａ）のVII−VII線における断面図である。
【図８】図８は、シールドを施したフレキシブルケーブルを示す断面図である。
【手続補正３】
【補正対象書類名】図面
【補正対象項目名】図１
【補正方法】変更
【補正の内容】
【図１】
2004093036.tif 000013
【手続補正４】
【補正対象書類名】図面
【補正対象項目名】図２
【補正方法】変更
【補正の内容】
【図２】
2004093036.tif 000014
【手続補正５】
【補正対象書類名】図面
【補正対象項目名】図３
【補正方法】変更
【補正の内容】
【図３】
2004093036.tif 000015
【手続補正６】
【補正対象書類名】図面
【補正対象項目名】図４
【補正方法】変更
【補正の内容】
【図４】
2004093036.tif 000016
【手続補正７】
【補正対象書類名】図面
【補正対象項目名】図５
【補正方法】変更
【補正の内容】
【図５】
2004093036.tif 000017
【手続補正８】
【補正対象書類名】図面
【補正対象項目名】図６
【補正方法】変更
【補正の内容】
【図６】
2004093036.tif 000018
【手続補正９】
【補正対象書類名】図面
【補正対象項目名】図７
【補正方法】変更
【補正の内容】
【図７】
2004093036.tif 000019
【手続補正１０】
【補正対象書類名】図面
【補正対象項目名】図８
【補正方法】変更
【補正の内容】
【図８】
2004093036.tif 000020
【国際調査報告】
2004093036.tif 000021
2004093036.tif 000022
2004093036.tif 000023
2004093036.tif 000024